(57)【要約】【課題】  二重化された１系ハブ装置１０１及び２系ハブ装置１０１ａと端末とを適正に相互接続でき、フレームの中継制御や送信権制御（リアルタイム制御）も適正に行える、ルータ装置及びルータ装置を用いた二重系データ伝送システムを提供する。【解決手段】  複数の端末と、１系ハブ装置１０１〜１０４及び２系ハブ装置１０１ａ〜１０４ａとの間に設けられたルータ装置４５と、このルータ装置４５と、複数の端末５０との間を接続する１組の送受信信号線４０ｂと、ルータ装置４５と１系ハブ装置１０１〜１０４及び２系ハブ装置１０１ａ〜１０４ａとの間を接続するそれぞれ１組の送受信信号線４０ａとから構成する二重系データ伝送システムを用いる。【選択図】    図１
2005094336.tif 000002
【特許請求の範囲】
【請求項１】
複数のハブ装置を信号伝送路で接続し前記複数のハブ装置間でデータ送受信制御を行う二重化された１系データ伝送システム及び２系データ伝送システムと、二重化された前記１系データ伝送システム及び２系データ伝送システムの１系ハブ装置及び２系ハブ装置のポートにスター型に接続されデータの送受信機能を有する複数の端末とを備えた二重系データ伝送システムであって、
前記複数の端末と、前記１系ハブ装置及び２系ハブ装置との間に設けられたルータ装置と、
前記ルータ装置と、前記複数の端末との間を接続する１組の送受信信号線と、
前記ルータ装置と、前記１系ハブ装置及び２系ハブ装置との間を接続するそれぞれ１組または２組以の送受信信号線と、
を具備することを特徴とする二重系データ伝送システム。
【請求項２】
複数のハブ装置を信号伝送路で接続し前記複数のハブ装置間でデータ送受信制御を行う二重化された１系データ伝送システム及び２系データ伝送システムと、二重化された前記１系データ伝送システム及び２系データ伝送システムの１系ハブ装置及び２系ハブ装置のポートにスター型に接続されデータの送受信機能を有する複数の端末とを備えた二重系データ伝送システムで用いる前記複数の端末と、前記１系ハブ装置及び２系ハブ装置との間に設けられたルータ装置であって、
前記１系ハブ装置からのデータ及び２系ハブ装置からのデータのうち、どちらのデータを前記端末に中継するか又は両方からのデータを前記端末に中継するかの処理と、前記端末からのデータを１系ハブ装置及び２系ハブ装置のうち、どちらに中継するか又は両方に中継するかの処理との２つの処理について、接続されている各端末ごとに独立に予めまたは運用途中に設定・変更が可能なことを特徴とするルータ装置。
【請求項３】
前記１系ハブ装置及び２系ハブ装置から前記端末にデータ中継を行う際に、又は前記端末から前記１系ハブ装置及び２系ハブ装置へ中継を行う際に、予めあるいは運用途中に中継許可設定されたフレームのみを中継することを特徴とする請求項２記載のルータ装置。
【請求項４】
前記１系ハブ装置または２系ハブ装置と前記端末側とで、伝送速度又は／及びデュプレックスが異なる場合、前記端末ごとに独立に、予めまたは運用途中に適合する伝送速度又は／及びデュプレックスに設定・変換可能なことを特徴とする請求項２記載のルータ装置。
【請求項５】
前記１系ハブ装置及び２系ハブ装置から前記端末にデータ中継を行う際、又は前記端末から前記１系ハブ装置及び２系ハブ装置へ中継を行う際に、予めあるいは運用途中に設定された中継優先度に従い、高優先データを低優先データより先に中継することを特徴とする請求項２記載のルータ装置。
【請求項６】
前記１系ハブ装置または２系ハブ装置から送信権制御がない場合、或いは、前記１系ハブ装置または２系ハブ装置から送信権制御がある場合においても、前記１系ハブ装置または２系ハブ装置からの送信権とは非同期に前記各端末に対して送信権制御を行うことができることを特徴とする請求項２記載のルータ装置。
【請求項７】
前記１系ハブ装置または２系ハブ装置からの送信権制御に同期して、前記各端末に対して送信権制御を行うことができることを特徴とする請求項２記載のルータ装置。
【請求項８】
中継系選択機能、中継フレーム制御機能、伝送速度及びデュプレックス変換機能、および送信権制御機能を有し、これらの機能は、予めまたは運用途中に設定・変更可能なことを特徴とする請求項２記載のルータ装置。
【発明の詳細な説明】
【技術分野】
【０００１】
本発明は、データフレームの送受信機能を有する複数の端末がハブ装置のポートにスター型に接続されたＣＳＭＡ／ＣＤ方式のメディアアクセス制御方式の複数の送受信制御系を備えた二重系データ伝送システムと、この二重系データ伝送システムにて使用するルータ装置に関するものである。
【背景技術】
【０００２】
ＩＥＥＥ８０２．３規格のハブ装置に新たな機能を追加することでリアルタイムな情報交換を可能とした二重系データ伝送システム（特開平１１−８６４５）にブリッジ装置を追加することにより、ブリッジ装置と端末との間を１組の送受信信号線で接続することを可能としている（例えば、特許文献１参照）。
【特許文献１】特願２００２−２７６７９７。
【発明の開示】
【発明が解決しようとする課題】
【０００３】
ところが昨今のＩＴ技術革新により、データ伝送の主流はデータ伝送速度や制御機能等が向上した新しい伝送規格（ＩＥＥＥ８０２．３ｕ、ＩＥＥＥ８０２．３ｘ、ＩＥＥＥ８０２．３ｚ、ＩＥＥＥ８０２．３ａｂ等をはじめとする規格）へと移行してきている。一方で従来規格のハブ装置、端末はまだ健在であり、新旧規格の装置を接続可能な二重系データ伝送システムが必要となってきている。
【０００４】
本発明の目的は、二重化された１系ハブ装置１０１及び２系ハブ装置１０１ａと端末とを適正に相互接続でき、フレームの中継制御や送信権制御（リアルタイム制御）も適正に行える、ルータ装置及びルータ装置を用いた二重系データ伝送システムを提供することである。
【課題を解決するための手段】
【０００５】
本発明はかかる課題を解決するものであり、本発明は、複数のハブ装置を信号伝送路で接続し前記複数のハブ装置間でデータ送受信制御を行う二重化された１系データ伝送システム及び２系データ伝送システムと、二重化された前記１系データ伝送システム及び２系データ伝送システムの１系ハブ装置及び２系ハブ装置のポートにスター型に接続されデータの送受信機能を有する複数の端末とを備えた二重系データ伝送システムであって、前記複数の端末と、前記１系ハブ装置及び２系ハブ装置との間に設けられたルータ装置と、前記ルータ装置と、前記複数の端末との間を接続する１組または２組以上の送受信信号線と、前記ルータ装置と、前記１系ハブ装置及び２系ハブ装置との間を接続するそれぞれ１組または２組以上の送受信信号線とを具備することを特徴とする二重系データ伝送システムである。
【０００６】
したがって本発明は、複数の端末と、１系ハブ装置及び２系ハブ装置との間に設けられたルータ装置と、このルータ装置と、複数の端末との間を接続する１組または２組以上の送受信信号線と、ルータ装置と、１系ハブ装置及び２系ハブ装置との間を接続するそれぞれ１組または２組以上の送受信信号線とから構成される。このため、二重化された１系ハブ装置１０１及び２系ハブ装置１０１ａと端末とを適正に相互接続でき、フレームの中継制御や送信権制御（リアルタイム制御）も適正に行うことができる。
【発明の効果】
【０００７】
本発明によれば、二重化された１系ハブ装置１０１及び２系ハブ装置１０１ａと端末とを適正に相互接続でき、フレームの中継制御や送信権制御（リアルタイム制御）も適正に行うことができる。
【発明を実施するための最良の形態】
【０００８】
図１は、本発明の一実施形態に係るルータ装置を適用した二重系データ伝送システムを示す構成ブロック図である。
【０００９】
二重系データ伝送システムは、１系ハブ装置１０１〜１０４、２系ハブ装置１０１ａ〜１０４ａ、複数のルータ装置４５、複数の端末５０から構成される。
【００１０】
１系ハブ装置１０１〜１０４間、及び２系ハブ装置１０１ａ〜１０４ａ間を信号伝送路３、４によりそれぞれ接続し、１系ハブ装置１０１〜１０４及び２系ハブ装置１０１ａ〜１０４ａ間は、信号伝送路５により接続する。複数の端末５０のそれぞれは、１系ハブ装置１０１〜１０４及び２系ハブ装置１０１ａ〜１０４ａとルータ装置４５を介して、それぞれ信号伝送路４０，４０ａ，４０ｂにて接続する。
【００１１】
次に、ルータ装置４５の内部構成と、ルータ装置４５に接続されている１系ハブ装置１０１及び２系ハブ装置１０１ａ、端末５０間の接続を図２に示す。
【００１２】
ルータ装置４５は、スイッチ回路部４６、中継設定用スイッチ４８、ルータ装置外部からの系切替用信号４８Ａ、系切替方法選択スイッチ４８Ｂ等から構成される。スイッチ回路部４６は、データバッファを内蔵しており、ここでは中継設定用スイッチ４８、系切替用信号４８Ａ、系切替方法選択スイッチ４８Ｂの設定情報や、１系ハブ装置１０１または２系ハブ装置１０１ａから送信される中継設定指示フレーム４９、送信許可・禁止指示フレーム４９Ａ、及び中継許可アドレス指示フレーム４９Ｂ等をもとに、データの中継方向及びポートを自由に切替可能としている。なお、図１及び図２では、端末５０側を３ポート分で記載しているがこれに限定されるものではなく、ポート数に制限は持たせていない。また図２では、１系ハブ装置１０１と２系ハブ装置１０１ａ間、端末５０間でのデータ中継を記載していないが、いずれの中継も可能である。
【００１３】
図３は、１系ハブ装置１０１及び２系ハブ装置１０１ａから端末５０にデータ中継を行う際に、又は端末５０から１系ハブ装置１０１及び２系ハブ装置１０１ａへ中継を行う際に、予めあるいは運用途中に中継許可設定されたフレームのみを中継する処理の一実施形態を示す。
【００１４】
この実施形態では、各端末５０へは必要なデータのみ中継するため、スイッチ回路部４６にて中継許可アドレスを判定している。端末５０ａ宛てのデータの場合は、端末５０ａへ許可されたポートへのみ中継されるデータ４７を中継し、端末５０ｂ、５０ｃへは中継しない。このような中継判定は、ユニキャストアドレスだけではなく、マルチキャストアドレスについても行っていることが特徴である。なお、マルチキャストフレームも中継許可設定の対象とする。
【００１５】
また、端末５０ａ〜５０ｃから１系ハブ装置１０１及び２系ハブ装置１０１ａの方向、端末５０ａ〜５０ｃ間、１系ハブ装置１０１と２系ハブ装置１０１ａ間についても、同様に中継許可アドレスを判定している。
【００１６】
次に、図４にデータ中継の一実施形態を示す。
【００１７】
この実施形態では、ルータ装置４５は、端末５０ａには、１系ハブ装置１０１からのデータのみを中継し、また端末５０ａからのデータを１系ハブ装置１０１のみに中継しており、端末５０ｂには、１系ハブ装置１０１からのデータのみを中継し、また端末５０ｂからのデータを１系ハブ装置１０１及び２系ハブ装置１０１ａの両方に中継する。そして、端末５０ｃには、２系ハブ装置１０１ａからのデータのみを中継し、また端末５０ｃからのデータを１系ハブ装置１０１及び２系ハブ装置１０１ａの両方に中継する、という設定にした場合である。
【００１８】
このように、端末５０毎に中継方法を設定可能であるため、用途により最適なデータ中継が可能となる。
【００１９】
また、運用途中に中継設定の変更が可能であるため、二重系データシステムのハブ装置やハブ装置間の伝送路に障害が発生したような場合でもそれに応じた切替をし、伝送を継続することが可能である。
【００２０】
次に、図５に、上述した図４の中継設定に対して１系ハブ装置１０１が故障した場合の切替例を示す。端末５０ａは、送受信とも１系ハブ装置１０１と行っていたが送受信とも２系ハブ装置１０１ａからの受信へ切り替え、端末５０ｂは、１系ハブ装置１０１から受信していたが２系ハブ装置１０１ａからの受信へ切り替え、端末５０ｃは、２系ハブ装置１０１ａから受信していたため切り替えなし、のようすることができる。
【００２１】
次に、ルータ装置４５の内部構成と、ルータ装置４５に接続されている１系ハブ装置１０１及び２系ハブ装置１０１ａ、端末５０間の接続の別の例を図６に示す。図２の接続の例とは異なり、伝送速度・デュプレックス（全二重／半二重）設定用スイッチ４８Ｃ、及び伝送速度・デュプレックス指示フレーム４９Ｃが追加されている。なお、オート・ネゴシエーション許可・禁止ともに対応する。
【００２２】
このような構成の二重系データシステムのデータ中継の一実施形態を図７に示す。１系ハブ装置１０１及び２系ハブ装置１０１ａ、端末５０の伝送速度やデュプレックスの形式に合致するように、スイッチ回路部４６にて伝送速度やデュプレックス変換を行う。例えば、１系ハブ装置１０１が１００Ｍｂｐｓの全二重形式であるので、この形式のデータが端末５０ａに送信される場合は、ルータ装置４５の伝送速度・デュプレックス設定用スイッチ４８Ｃ及び伝送速度・デュプレックス指示フレーム４９Ｃによって、端末５０ａの形式である１０Ｍｂｐｓ半二重の形式に変換される。
【００２３】
次に、ルータ装置４５の別の実施形態の機能ブロック図を図８に示す。
【００２４】
図８に示したルータ装置４５は、上述した実施形態の機能をすべて備えたルータ装置４５である。このように、上述した実施形態の機能をすべて備えたルータ装置を用いてもよく、また、上述した実施形態の機能のうち、いずれかを組み合わせたルータ装置を用いても良い。
【００２５】
以上のような構成とすることで、二重化された１系ハブ装置及び２系ハブ装置と端末とを適正に相互接続でき、フレームの中継制御や送信権制御（リアルタイム制御）も適正に行うことができる。さらに、  ハブ装置・端末間の接続信号本数を減らすことができる。また、マルチキャストを含むフレームの中継判定を行うことにより、不要なフレームの中継がなくなる。さらに、伝送速度、デュプレックス変換機能により、ハブ装置と端末の伝送速度、デュプレックスが異なっても接続することが可能となる。また、送信権制御機能により、適切なタイミングでデータ中継を行うことが可能となる。
【００２６】
また、信号伝送路４０，４０ａは２組以上で接続しても構わない。さらに、１系ハブ装置１０１とルータ４５間、２系ハブ装置１０１ａとルータ４５間を１組の送受信信号線で記載しているが２組以上でも構わない。
【００２７】
なお、本実施形態で説明したルータ装置及びルータ装置を用いた二重系データ伝送システムは、計算機（コンピュータ）に実行させることができるプログラム（ソフトウエア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００２８】
【図１】この発明の一実施形態に係わるルータ装置を適用した二重系データ伝送システムの一実施形態を示す構成ブロック図。
【図２】この発明の一実施形態に係わるルータ装置内部機能ブロック及びハブ装置、端末間の接続示す模式図。
【図３】この発明の一実施形態に係わる１系ハブ装置及び２系ハブ装置から端末にデータ中継を行う際に、又は端末から１系ハブ装置及び２系ハブ装置へ中継を行う際に、予めあるいは運用途中に中継許可設定されたフレームのみを中継する処理を示す模式図。
【図４】この発明の一実施形態に係わるルータ装置を適用した二重系データ伝送システムのデータ中継のを示す模式図。
【図５】図４の中継設定に対して１系ハブ装置が故障した場合の切替例を示す模式図。
【図６】この発明の一実施形態に係わるルータ装置内部機能ブロック及びハブ装置、端末間の接続示す模式図。
【図７】この発明の一実施形態に係わるルータ装置を適用した二重系データ伝送システムのデータ中継のを示す模式図。
【図８】この発明の一実施形態に係わるルータ装置内部機能ブロック及びハブ装置、端末間の接続示す模式図。
【符号の説明】
【００２９】
１０１〜１０４  …  １系ハブ装置、１０１ａ〜１０４ａ  …  ２系ハブ装置、３…１系ハブ装置〜１系ハブ装置間信号伝送路、４…２系ハブ装置〜２系ハブ装置間信号伝送路、５…１系ハブ装置〜２系ハブ装置間信号伝送路、４０…１系ハブ装置〜ルータ間信号伝送路、４０ａ…２系ハブ装置〜ルータ間信号伝送路、４０ｂ…ルータ〜端末間信号伝送路、４５…ルータ装置、５０、５０ａ，５０ｂ，５０ｃ…端末
【図１】
2005094336.tif 000003
【図２】
2005094336.tif 000004
【図３】
2005094336.tif 000005
【図４】
2005094336.tif 000006
【図５】
2005094336.tif 000007
【図６】
2005094336.tif 000008
【図７】
2005094336.tif 000009
【図８】
2005094336.tif 000010